(57)【要約】【課題】  部屋の間仕切り等に利用される建築用仕切り材の設置構造に関し、設置が簡単で施工性に優れ、しかも再利用が可能で利便性にも優れた建築用仕切り材の設置構造を提供することを目的とする。【解決手段】  基礎面部１０とその上方の天井面部１２との間に配置され、境を仕切る建築用仕切り材４の設置構造であって、自己吸着性のある気泡構造を有し、一方の面部及び他方の面部が表裏に形成された帯状のシート状吸着材６を具備し、建築用仕切り材４の下端部に沿って、シート状吸着材６の一方の面部を接着し、建築用仕切り材４の上部側を天井面部１２に取り付ける一方、建築用仕切り材４を基礎面部１０の設置個所に配置するとともに、シート状吸着材６の他方の面部を基礎面部１０に吸着させ、建築用仕切り材４を基礎面部１０に止着する構成である。【選択図】  図１
2020007796.tif 000002
【特許請求の範囲】
【請求項１】
基礎面部とその上方の天井面部との間に配置され、境を仕切る建築用仕切り材の設置構造であって、自己吸着性のある気泡構造を有し、一方の面部及び他方の面部が表裏に形成された帯状のシート状吸着材を具備し、
上記建築用仕切り材の下端部に沿って、上記シート状吸着材の上記一方の面部を接着し、
上記建築用仕切り材の上部側を上記天井面部に取り付ける一方、上記建築用仕切り材を上記基礎面部の設置個所に配置するとともに、上記シート状吸着材の上記他方の面部を上記基礎面部に吸着させ、上記建築用仕切り材を上記基礎面部に止着することを特徴とする建築用仕切り材の設置構造。
【請求項２】
基礎面部とその上方の天井面部との間に配置され、境を仕切る建築用仕切り材の設置構造であって、自己吸着性のある気泡構造を有し、一方の面部及び他方の面部が表裏に形成された帯状のシート状吸着材を具備し、
上記基礎面部の設置箇所に沿って上記シート状吸着材を配置するとともに上記シート状吸着材の上記一方の面部を吸着させ、
上記建築用仕切り材の上部側を上記天井面部に取り付ける一方、上記建築用仕切り材を上記基礎面部の設置個所に配置するとともに、上記建築用仕切り材の下端部を上記シート状吸着材の上記他方の面部に接着させ、上記建築用仕切り材を上記基礎面部に止着することを特徴とする建築用仕切り材の設置構造。
【請求項３】
基礎面部とその上方の天井面部との間に配置され、境を仕切る建築用仕切り材の設置構造であって、自己吸着性のある気泡構造を有し、一方の面部及び他方の面部が表裏に形成された帯状のシート状吸着材と、上記建築用仕切り材の下端部を保持し基板部が平坦な長尺状の保持部材と、を具備し、
上記基板部の裏面部に沿って上記シート状吸着材の上記一方の面部を接着した上記保持部材を、上記建築用仕切り材の下端部に取り付け、
上記建築用仕切り材の上部側を上記天井面部に取り付ける一方、上記建築用仕切り材を上記基礎面部の設置個所に配置するとともに、上記シート状吸着材の上記他方の面部を上記基礎面部に吸着させ、上記建築用仕切り材を上記基礎面部に止着することを特徴とする建築用仕切り材の設置構造。
【請求項４】
基礎面部とその上方の天井面部との間に配置され、境を仕切る建築用仕切り材の設置構造であって、自己吸着性のある気泡構造を有し、一方の面部及び他方の面部が表裏に形成された帯状のシート状吸着材と、上記建築用仕切り材の下端部を保持し基板部が平坦な長尺状の保持部材と、を具備し、
上記保持部材の基板部の裏面部に沿って上記シート状吸着材の上記一方の面部を接着し、上記基礎面部の設置箇所に沿って上記保持部材を配置するとともに上記シート状吸着材の上記他方の面部を吸着させ、
上記建築用仕切り材の上部側を上記天井面部に取り付ける一方、上記建築用仕切り材の下端部を上記保持部材の基板部に保持させ、上記建築用仕切り材を上記基礎面部に止着することを特徴とする建築用仕切り材の設置構造。
【請求項５】
上記建築用仕切り材の上端部を保持し基板部が平坦な長尺状の上部保持部材を具備し、
上記上部保持部材の基板部の裏面部に沿って上記シート状吸着材の上記一方の面部を接着し、上記天井面部の設置箇所に沿って上記上部保持部材を配置するとともに上記シート状吸着材の上記他方の面部を吸着させ、上記建築用仕切り材の上端部を上記上部保持部材の基板部に保持させ、上記建築用仕切り材の上端部を上記天井面部に止着することを特徴とする請求項１乃至４の何れかに記載の建築用仕切り材の設置構造。
【請求項６】
上記天井面部に基板部が平坦な保持用ランナー材を配置し、当該保持用ランナー材に上記建築用仕切り材の上端部を保持させることを特徴とする請求項１乃至４の何れかに記載の建築用仕切り材の設置構造。
【請求項７】
上記上部保持部材の基板部の下部又は上記保持用ランナー材の基板部の下部に弾性部材を介在させ、当該弾性部材に上記建築用仕切り材の上端部を弾性保持させることを特徴とする請求項５又は６に記載の建築用仕切り材の設置構造。
【請求項８】
上記建築用仕切り材は、部屋の間仕切り材又は壁材として使用することを特徴とする請求項１乃至請求項７の何れかに記載の建築用仕切り材の設置構造。
【請求項９】
上記基礎面部にストッパー部材を取り付け、上記建築用仕切り材の設置の際の位置決めに用いることを特徴とする請求項１乃至８の何れかに記載の建築用仕切り材の設置構造。
【発明の詳細な説明】
【技術分野】
【０００１】
本発明は、部屋の間仕切り等に利用される建築用仕切り材の設置構造に関する。
【背景技術】
【０００２】
従来、建物内に間仕切り材を配置し、部屋等を仕切る間仕切り壁が知られている。
【０００３】
例えば特許文献１の軽量鉄鋼間仕切り壁は、図５に示すように、上部ランナー３２及び下部ランナー３３と、それらに上端部及び下端部が挿入されたスタッド３４と、スタッド３４に固定された石膏ボード３５と中空部のグラスウール３８等を備え、床スラブに上部ランナー３２と下部ランナー３３とを釘３６等により固定し、スタッド３４と石膏ボード３５との間に敷目板３７を介在させ、石膏ボード３５と上部ランナー３２との間に隙間を形成し、これにより軋み音の発生を防止するものである。
【０００４】
特許文献２に記載の壁下地材は、天井材に取り付けられる上レール部材と、床材に皿ネジ等の固定具で取り付けられる下レール部材と、上レール部材内に上端部が嵌入されると共に、下レール部材内に下端部が嵌入されて起立して取り付けられるスタッド部材とを有し、下レール部材の底片または側片に一対の突出片を設けることでスタッド部材の上下端部が拘束され、これによりスタッド部材の取り付け作業もワンタッチで行えるというものである。
【０００５】
特許文献３に記載のランナー固定金具は、金具本体の一端側に躯体側取付用板部を設け、他端側にランナー側取付用板部を形成し、これら両板部の中間部に折曲部を設け、金具本体を折曲部を介して折曲し、ランナー側取付用板部をランナーの後側壁部に嵌挿し、躯体側取付用板部を躯体壁面に止め具によって固定するものであり、これによりランナーの固定作業が容易に行えるというものである。
【先行技術文献】
【特許文献】
【０００６】
【特許文献１】特開２０１０−２４２２９８号公報
【特許文献２】特開２０１１−２４７０５７号公報
【特許文献３】特開２００５−８３０２３号公報
【発明の概要】
【発明が解決しようとする課題】
【０００７】
さて、上記特許文献１の間仕切り壁では、下部ランナーは釘等により床スラブに固定され、また特許文献２の壁下地材においても、下レール部材は皿ネジ等の固定具によって床材に取付けられており、この場合、下部ランナー、下レール部材は簡単に取り外しが出来ず、また床面等を傷つけるため、再利用等が困難であるという問題がある。また、特許文献３についても、ランナー固定金具を用いてランナーを固定するため、ランナーの固定が容易ではなく、また固定部位を傷つける等の問題がある。
【０００８】
本発明は上記問題点を解決するためになされたものであり、設置が簡単で施工性に優れ、しかも施工面を汚さないなど、部材等の再利用が可能で利便性にも優れた建築用仕切り材の設置構造を提供することを目的とする。
【課題を解決するための手段】
【０００９】
以上の技術的課題を解決するため、本発明は図１等に示すように、基礎面部１０とその上方の天井面部１２との間に配置され、境を仕切る建築用仕切り材４の設置構造であって、自己吸着性のある気泡構造を有し、一方の面部及び他方の面部が表裏に形成された帯状のシート状吸着材６を具備し、上記建築用仕切り材４の下端部に沿って、上記シート状吸着材６の上記一方の面部を接着し、上記建築用仕切り材４の上部側を上記天井面部１２に取り付ける一方、上記建築用仕切り材４を上記基礎面部１０の設置個所に配置するとともに、上記シート状吸着材６の上記他方の面部を上記基礎面部１０に吸着させ、上記建築用仕切り材４を上記基礎面部１０に止着する構成である。
【００１０】
また、本発明は、基礎面部１０とその上方の天井面部１２との間に配置され、境を仕切る建築用仕切り材４の設置構造であって、自己吸着性のある気泡構造を有し、一方の面部及び他方の面部が表裏に形成された帯状のシート状吸着材６を具備し、上記基礎面部１０の設置箇所に沿って上記シート状吸着材６を配置するとともに上記シート状吸着材６の上記一方の面部を吸着させ、上記建築用仕切り材４の上部側を上記天井面部１２に取り付ける一方、上記建築用仕切り材４を上記基礎面部１０の設置個所に配置するとともに、上記建築用仕切り材４の下端部を上記シート状吸着材６の上記他方の面部に接着させ、上記建築用仕切り材４を上記基礎面部１０に止着する構成である。
【００１１】
また、本発明は、基礎面部１０とその上方の天井面部１２との間に配置され、境を仕切る建築用仕切り材４の設置構造であって、自己吸着性のある気泡構造を有し、一方の面部及び他方の面部が表裏に形成された帯状のシート状吸着材６と、上記建築用仕切り材４の下端部を保持し基板部２０が平坦な長尺状の保持部材２と、を具備し、上記基板部２０の裏面部に沿って上記シート状吸着材６の上記一方の面部を接着した上記保持部材２を、上記建築用仕切り材４の下端部に取り付け、上記建築用仕切り材４の上部側を上記天井面部１２に取り付ける一方、上記建築用仕切り材４を上記基礎面部１０の設置個所に配置するとともに、上記シート状吸着材６の上記他方の面部を上記基礎面部１０に吸着させ、上記建築用仕切り材４を上記基礎面部１０に止着する構成である。
【００１２】
また、本発明は、基礎面部１０とその上方の天井面部１２との間に配置され、境を仕切る建築用仕切り材４の設置構造であって、自己吸着性のある気泡構造を有し、一方の面部及び他方の面部が表裏に形成された帯状のシート状吸着材６と、上記建築用仕切り材４の下端部を保持し基板部２０が平坦な長尺状の保持部材２と、を具備し、上記保持部材２の基板部２０の裏面部に沿って上記シート状吸着材６の上記一方の面部を接着し、上記基礎面部１０の設置箇所に沿って上記保持部材２を配置するとともに上記シート状吸着材６の上記他方の面部を吸着させ、上記建築用仕切り材４の上部側を上記天井面部１２に取り付ける一方、上記建築用仕切り材４の下端部を上記保持部材２の基板部２０に保持させ、上記建築用仕切り材４を上記基礎面部１０に止着する構成である。
【００１３】
また、本発明に係る建築用仕切り材の設置構造は、上記建築用仕切り材４の上端部を保持し基板部２８が平坦な長尺状の上部保持部材２６を具備し、上記上部保持部材２６の基板部２８の裏面部に沿って上記シート状吸着材６の上記一方の面部を接着し、上記天井面部１２の設置箇所に沿って上記上部保持部材２６を配置するとともに上記シート状吸着材６の上記他方の面部を吸着させ、上記建築用仕切り材４の上端部を上記上部保持部材２６の基板部２８に保持させ、上記建築用仕切り材４の上端部を上記天井面部１２に止着する構成である。
【００１４】
本発明に係る建築用仕切り材の設置構造は、上記天井面部１２に基板部１１が平坦な保持用ランナー材８を配置し、当該保持用ランナー材８に上記建築用仕切り材４の上端部を保持させる構成である。
【００１５】
本発明に係る建築用仕切り材の設置構造は、上記上部保持部材２６の基板部２８の下部又は上記保持用ランナー材８の基板部１１の下部に弾性部材１９を介在させ、当該弾性部材１９に上記建築用仕切り材の上端部を弾性保持させる構成である。
【００１６】
本発明に係る建築用仕切り材の設置構造として、上記建築用仕切り材４は、部屋の間仕切り材又は壁材として使用する構成である。
【００１７】
本発明に係る建築用仕切り材の設置構造は、上記基礎面部１０にストッパー部材９を取り付け、上記建築用仕切り材４の設置の際の位置決めに用いる構成である。
【発明の効果】
【００１８】
本発明に係る建築用仕切り材の設置構造によれば、建築用仕切り材の下端部に沿って、シート状吸着材を接着し、建築用仕切り材の上部側を天井面部に取り付ける一方、建築用仕切り材を基礎面部の設置個所に配置するとともに、シート状吸着材を基礎面部に吸着させ、建築用仕切り材を基礎面部に止着する構成を採用したから、建築用仕切り材の設置が簡単で施工性に優れ、しかもシート状吸着材は、剥がすことも可能であり基礎面部への傷等もなく施工面を汚さないため、基礎面部及び建築用仕切り材等の再利用が可能で利便性にも優れるという効果を奏する。
【００１９】
本発明に係る建築用仕切り材の設置構造によれば、基礎面部の設置箇所に沿って配置したシート状吸着材を吸着させ、建築用仕切り材の上部側を天井面部に取り付ける一方、建築用仕切り材を基礎面部の設置個所に配置するとともに、建築用仕切り材の下端部をシート状吸着材に接着させ、建築用仕切り材を基礎面部に止着する構成を採用したから、建築用仕切り材の設置が簡単で施工性に優れ、しかもシート状吸着材は、剥がすことも可能であり基礎面部への傷等もなく施工面を汚さないため、基礎面部及び建築用仕切り材等の再利用が可能で利便性にも優れるという効果を奏する。
【００２０】
本発明に係る建築用仕切り材の設置構造によれば、基板部の裏面部に沿ってシート状吸着材を接着した保持部材を、建築用仕切り材の下端部に取り付け、建築用仕切り材の上部側を天井面部に取り付ける一方、建築用仕切り材を基礎面部の設置個所に配置するとともに、シート状吸着材を基礎面部に吸着させ、建築用仕切り材を基礎面部に止着する構成を採用したから、建築用仕切り材の設置が簡単で施工性に優れ、しかもシート状吸着材は、剥がすことも可能であり基礎面部への傷等もなく施工面を汚さないため、基礎面部及び建築用仕切り材等の再利用が可能で利便性にも優れるという効果を奏する。
【００２１】
本発明に係る建築用仕切り材の設置構造によれば、保持部材の基板部の裏面部に沿ってシート状吸着材を接着し、基礎面部の設置箇所に沿って保持部材を配置するとともにシート状吸着材を吸着させ、建築用仕切り材の上部側を天井面部に取り付ける一方、建築用仕切り材の下端部を保持部材の基板部に保持させ、建築用仕切り材を基礎面部に止着する構成を採用したから、建築用仕切り材の設置が簡単で施工性に優れ、しかもシート状吸着材は、剥がすことも可能であり基礎面部への傷等もなく施工面を汚さないため、基礎面部及び建築用仕切り材等の再利用が可能で利便性にも優れるという効果を奏する。
【００２２】
本発明に係る建築用仕切り材の設置構造によれば、上部保持部材の基板部の裏面部に沿ってシート状吸着材を接着し、天井面部の設置箇所に沿って上部保持部材を配置するとともにシート状吸着材を吸着させ、建築用仕切り材の上端部を上部保持部材の基板部に保持させ、建築用仕切り材の上端部を天井面部に止着する構成を採用したから、建築用仕切り材の設置が簡単で施工性に優れ、しかもシート状吸着材は、剥がすことも可能であり天井面部への傷等もなく施工面を汚さないため、天井面部及び建築用仕切り材等の再利用が可能で利便性にも優れるという効果を奏する。
【００２３】
本発明に係る建築用仕切り材の設置構造によれば、上部保持部材の下部に弾性部材を介在させ、当該弾性材に建築用仕切り材の上部側を保持させた構成としたから、建築仕切り材の設置の強度及びシート状吸着材の吸着の強度が増し、ぐらつきもなく安定した状態で設置できるという効果がある。
また、本発明に係る建築用仕切り材の設置構造によれば、基礎面部にストッパー部材を取り付け、建築用仕切り材の設置の際の位置決めに用いたから、容易に位置決めが行える他、建築用仕切り材の設置個所のズレ防止にも役立つ。
【図面の簡単な説明】
【００２４】
【図１】実施の形態に係る建築用仕切り材の設置構造を示す図である。
【図２】実施の形態に係り、（ａ）は保持部材（シート状吸着材を接着）、（ｂ）はシート状吸着材を示す図である。
【図３】実施の形態に係る建築用仕切り材の設置方法を示す図である（尚、説明の都合上天井面部は実際より高く記載）。
【図４】他の実施の形態に係る建築用仕切り材の設置方法を示す図である（尚、説明の都合上天井面部は実際より高く記載）。
【図５】従来例に係る、軽量鉄鋼間仕切り壁を示す図である。
【発明を実施するための形態】
【００２５】
以下、本発明の実施の形態を図面に基づいて説明する。
図１は、この実施の形態に係る建築用仕切り材の設置構造を示したものである。
この建築用仕切り材の設置構造では、保持部材２、建築用仕切り材４、及び自己吸着性のある気泡構造を有するシート状吸着材６（以下、単に「シート状吸着材６」という。）、保持用ランナー材８及びストッパー部材９等を有する。この建築用仕切り材４は、例えば部屋の間仕切り材或いは壁材等に用いられる。
【００２６】
建築用仕切り材４は、通常、部屋の床面部等の基礎面部１０と天井面部１２との間に配置される。基礎面部１０は、例えば不陸の上部に床板材を取り付けた形態、或いは支持脚に支持された大引に根太を架設し、その上部に床板材を配置した形態の各面部等である。
また、天井面部１２は、例えば、天井構造部から吊り下げたハンガー１４に野縁受け１５を架設し、この野縁受け１５に交差して野縁１６を平行に取り付け、各野縁１６に天井板１７を止着して形成する。
【００２７】
図２に示すように、上記保持部材２としては、長尺状で平坦な基板部２０を有し、例えば、基板部２０及び左右の両側板部２２，２２からなり上側が開口する断面コ字状の材料等が用いられる。他に、保持部材２として、平坦な基板部及び側板部を有する断面Ｌ状の材料等が用いられる。
保持部材２の材質としては、鋼材（軽量鋼板）、ステンレス鋼材、アルミニウム等の軽量金属材、或いは塩化ビニル等の合成樹脂材等が利用できる。
【００２８】
上記建築用仕切り材４としては、建築用ボード材等が用いられ、例えば木製のボード材、両面に板材を配置した中空の（又はグラスウール等の断熱材を詰めた）ボード材、石膏ボード材、パーティクルボード材、合成樹脂製のボード材等がある。また、上記各ボード材の両面には、それぞれ仕上げ加工（仕上げ材の貼着等）が施されている。
【００２９】
建築用仕切り材４は、基本的には外形は矩形状であり、下端部及び上端部は平坦である。また、建築用仕切り材４の上部近傍には、空気流通用の窓部等が設けられていてもよい。建築用仕切り材４の幅は、通常数ミリメートルから数十ミリメートルである。
【００３０】
他に、建築用仕切り材４として、保持部材２の上部に複数のスタッド材を、所定間隔をおいて配置し、各スタッド材の下端部を保持部材２に固定し、各スタッド材の上部側をランナー材等の枠材で固定し、天井面部１２に取り付ける材料を用いることもできる。上記配置された各スタッド材の両側面にはパネル等を取り付ける。
また建築用仕切り材４として、上下部にそれぞれ上部側の枠材及び下部側の枠材が配置され、これら枠材間にスタッドを複数横に並べて配置し、両面に仕上げパネルを貼り付けボード状に仕上げたものも利用できる。この建築用仕切り材４の場合、下部側の枠材を保持部材２として使用可能であり、この場合、新たに保持部材２を取り付けなくてもよい。
【００３１】
上記シート状吸着材６は合成樹脂製で、微細（超微細）な気泡（セル）構造を有する発泡シート状吸着材で、自己吸着性及び強いせん断特性を有している。このシート状吸着材６は、半連続気泡構造を有し気泡のサイズは３０〜１００μである。また、シート状吸着材６は、自己吸着性があるため止着に際しては接着材等を必要としない。
このため、シート状吸着材６を基礎面部１０等へ止着後、必要により脱着した場合であっても、糊残りなく剥がすことが可能であり、基礎面部１０及びシート状吸着材等の再利用も有効に行える。また、シート状吸着材６は何度でも吸着及び脱着が可能である。
【００３２】
尚、この実施の形態では、上記シート状吸着材６として、PureCell（登録商標：株式会社イノアックコーポレーション社製）を用いた。このPureCell（ピュアセル）は、超微細かつ均一な気泡（セル）構造を有したシート状のアクリル（又はウレタン）発泡材であり、自己吸着性がある。ピュアセルとして薄物長尺アクリルフォームは、自己吸着性の他に、低密度で柔らかく、衝撃に強く（衝撃吸収性）、高い厚み精度と低硬度を兼ね備え、低応力、高圧縮可能性を有する。
【００３３】
また、上記シート状吸着材６は帯状（テープ状）であり、一方の面部及び他方の面部がそれぞれ表裏に形成され、例えば、一方（上側）の面部には予め接着材が塗布された接着面５が形成され、また他方（下側）の面部はシート状吸着材６それ自体の吸着面７が形成されている。また上記他方（下側）の吸着面７には、透明の薄いフィルム材が軽く吸着されている。このフィルム材は、シート状吸着材６を保護するもので、建築用仕切り材４の設置の際、直前で取り外される。
【００３４】
通常、シート状吸着材６の幅は、保持部材２の基板部２０の幅と同程度のものを用い、保持部材２の全長にわたって取り付ける。上記保持部材２の基板部２０の裏面（下面）には、予め基板部２０に沿ってシート状吸着材６を接着しておいても良い。また、保持部材２は、接着材或いは止着材等を用いて建築用仕切り材４に取り付ける。
【００３５】
上記保持用ランナー材８としては、例えば平坦な基板部１１及び左右の側板部からなり、下側が開口（溝部が下向き）する断面コ字状の長尺材、或いは断面Ｌ字状の長尺材等が利用できる。
保持用ランナー材８の材質等は、上記保持部材２と同様であり、軽量鋼板を屈曲形成したもの等を用いる。保持用ランナー材８は、ビス等の止着具或いは接着材等を用いて基板部１１を天井面部１２に固定する。
建物の部屋内に建築用仕切り材４を配置する場合、基礎面部１０に建築用仕切り材４の下部を配置し、また上方の天井面部１２に保持用ランナー材８を固定し、これに建築用仕切り材４の上部側を嵌めて取り付けるようにしても良い。
【００３６】
上記ストッパー部材９は、位置決め等のために用い、建築用仕切り材４の設置位置に配置する。ストッパー部材９は、断面Ｌ字状等からなる長尺材であり、合成樹脂、アルミニウム材或いはステンレス材等の金属からなる。
ストッパー部材９についても、その底面部にシート状吸着材６を接着し、これを基礎面部１０に吸着し、ストッパー部材９を止着固定することとしてもよい。またストッパー部材９は、接着材（粘着材）或いは止着具等を用いて基礎面部１０に取り付けてもよい。
ストッパー部材９は、建築用仕切り材４の位置決め用以外に、建築用仕切り材４の設置個所のズレ防止にも役立つ。
【００３７】
さて、この実施の形態では、上記シート状吸着材６の自己吸着性に着目し、このシート状吸着材６を、建築用仕切り材４を設置する際の止着材として用いることとした。
そして、シート状吸着材６を接着した保持部材２を、建築用仕切り材４の下端部の全体にわたって取り付けた。これにより、当該保持部材２を平坦な基礎面部１０に固定（固着）する場合、保持部材２を基礎面部１０に圧着するのみで、シート状吸着材６が基礎面部１０に吸着固着し、建築用仕切り材４の設置が可能となる。
【００３８】
また、基礎面部１０への建築用仕切り材４の設置の際、ビス或いは接着材等を用いないため、基礎面部１０を傷つけ又汚すこともない。このため、必要により建築用仕切り材４を取り外した場合であっても、基礎面部１０の再利用及び建築用仕切り材４（保持部材２、シート状吸着材６）の再利用も可能である。
【００３９】
さて、上記保持部材２を取り付けた建築用仕切り材４は、建物の床面部等の基礎面部１０と、その上方の天井面部１２に配置された保持用ランナー材８等との間に配置する。
上記建築用仕切り材４は、仮設住宅、イベント会場などの特設ルーム等、一時的に利用する目的の場所（部屋）等への設置及び模様替え等による移設などに有効に利用でき、また一般住宅、オフィス等への設置及び移設などにも利用可能である。
【００４０】
具体的には、建築用仕切り材４を部屋の間仕切り材として利用する場合、例えば、一つの部屋内の中央部等に配置して二部屋に二分割し、そして所定期間後に当該建築用仕切り材４を外して元の一部屋に戻す場合などに利用できる。
また、建築用仕切り材４を部屋の壁材としても利用できる。この場合、室内の壁部（例えば粗い仕上げの壁部）の前面に建築用仕切り材４を配置し、壁面の仕上げ等に利用する。そして、建築用仕切り材４が不要になった場合、建築用仕切り材４は容易に取り外すことができ、また建築用仕切り材４の再利用も可能である。
【００４１】
建築用仕切り材４を設置する場合、予め、建築用仕切り材４の保持部材２を配置する箇所の基礎面部１０に目印線として墨出し（建築用仕切り材４の幅程度の平行線等）をしておく。併せて、基礎面部１０の設置個所の表面は汚れのない状態にしておく。
【００４２】
なお、基礎面部１０の表面が粗い場合等には、上記墨出しの同位置に防水性のテープ材１８を貼着しておいても良い。このテープ材１８は、着脱可能である。
このテープ材１８としては、例えば合成樹脂製の気密テープ等が有効である。テープ材の幅は、５０ｍｍ、１００ｍｍ或いは建築用仕切り材４の幅程度とする。気密テープは、防水性、耐久性が高く曲線部等に追従しやすく、また透湿防水機能を有している。
【００４３】
また、部屋の天井面部１２には保持用ランナー材８を配置し、これに建築用仕切り材４の上部側を取り付け保持させるようにしても良い。保持用ランナー材８は、建築用仕切り材４を配置する目印線とは平行な状態で配置する。
【００４４】
さらに、保持用ランナー材８の基板部１１の下部に弾性部材１９を配置介在させてもよい。例えば、下側が開口（溝部が下向き）した断面コ字状の保持用ランナー材８を用いた場合、その基板部１１の下部（溝部内等）に弾性部材１９を配置する。
この弾性部材１９としては、コイルスプリング、ゴム材、スポンジ材、合成樹脂材等が用いられる。弾性部材１９は、接着材、止着具等を用いて保持用ランナー材８に取付ける。
【００４５】
上記弾性部材１９は、保持用ランナー材８の開口側から嵌め込まれる建築用仕切り材４の上端部を押圧し、併せて建築用仕切り材４を弾性保持する。このため、建築用仕切り材４の設置の強度が増し、ぐらつき等もなく安定した状態で設置でき、また建築用仕切り材４の下部のシート状吸着材６が押圧されその吸着力も増す。
【００４６】
ここで、図３に基づき、上記建築用仕切り材４を、部屋の間仕切り材或いは壁材として、部屋内等に設置する方法及び設置構造について説明する。
建築用仕切り材４を間仕切り材として用いる場合、例えば部屋を二分割する場合には、該当設置箇所の基礎面部１０に目印線（墨出し）を引き、その上方の天井面部１２に当該目印線と平行に保持用ランナー材８を取り付ける。
【００４７】
保持用ランナー材８は、ここでは基板部１１及び左右の側板部を有し、下側が開口（溝部が下向き）する断面コ字状のものを用い、その基板部１１を天井面部１２に固定する。また、保持用ランナー材８の基板部１１の内側に弾性部材１９を取り付ける。
また、ストッパー部材９として、断面Ｌ字状の長尺材を用いる。ストッパー部材９は、上記目印線を目安に、接着材等を用いて基礎面部１０に取り付ける。ストッパー部材９の取り付けの際、シート状吸着材６を用いてもよい。
またここでは、上記目印線を目安にして、上記テープ材１８を上記ストッパー部材９の側部に貼着しておく。
【００４８】
また、建築用仕切り材４を部屋の仕上げ壁材として用いてもよい。この場合、例えば粗壁の前面に配置する場合には、該当設置箇所の基礎面部１０に目印線（墨出し）を引き、その上方の天井面部１２（際部）に当該目印線と平行に保持用ランナー材８を取り付ける。
【００４９】
建築用仕切り材４は、例えば内部が石膏ボード或いはグラスウール材からなり、両面部には仕上げパネルを取り付ける等の仕上げ加工を施したものを用いる。
この建築用仕切り材４は、全体が矩形状であり、底辺部、左右の側辺部、及び上辺部を有する。建築用仕切り材４の縦の長さは、部屋の基礎面部１０から天井面部１２間と同程度の長さとする。建築用仕切り材４の横幅は、部屋を仕切る左右の間隔（両壁部間等）の寸法、或いはその複数分の１の長さに分割したものを用いてもよい。このように、建築用仕切り材４は、部屋の大きさに応じて、一枚或いは複数枚を横に並べて配置する。
【００５０】
保持部材２は、ここでは基板部２０及び左右の両側板部２２，２２からなり上側が開口する断面コ字状の長尺状の材料を用いる。この保持部材２は、建築用仕切り材４の横幅と同程度の長さのものを用いる。
そして、建築用仕切り材４には、下端部の辺全体にわたって保持部材２を装着する。この保持部材２は、接着材或いはビス等の止着具を用いて建築用仕切り材４に固定する。この止着具は、例えば保持部材２の側板部２２から建築用仕切り材４の下端部の近傍にかけて止着（螺設）する。
【００５１】
さらに、建築用仕切り材４に取り付けた保持部材２の裏面に、シート状吸着材６の一方の面部を接着等により取り付ける。なお、保持部材２は予め建築用仕切り材４に取り付けておいてもよく、またシート状吸着材６についても、予め保持部材２の基板部２０の裏面に取付けておいても良い。
この後、建築用仕切り材４を間仕切り材として、部屋の所定位置に取り付ける。
【００５２】
まず、建築用仕切り材４を運び入れ、シート状吸着材６の表面のフィルム材を外す。そして、建築用仕切り材４の上部側を天井面部１２に取り付けた保持用ランナー材８の溝部に嵌め込み保持させ、建築用仕切り材４の下端部の保持部材２を基礎面部１０に配置したストッパー部材９に接する状態で設置する。なお、ストッパー部材９を用いない場合には、建築用仕切り材４は目印線に沿って設置する。
【００５３】
このとき、建築用仕切り材４の保持部材２に取り付けたシート状吸着材６が、建築用仕切り材４の重量等によって上から押圧され、シート状吸着材６の他方の面部（下面部）が基礎面部１０に吸着する。これにより、建築用仕切り材４が基礎面部１０の上に止着設置される。
建築用仕切り材４は、間仕切りの範囲（横の幅）に応じて、一枚或いは複数枚を横に並べて設置する。
【００５４】
また、上記弾性部材１９により、保持用ランナー材８に嵌め込まれる建築用仕切り材４の上端部を保持し補強してガタツキ等を防止し、さらに建築用仕切り材４を押圧して建築用仕切り材４を弾性保持し、建築用仕切り材４の設置を強固にする。
上記シート状吸着材６は、自己吸着性により基礎面部１０に容易に吸着し、基礎面部１０に止着固定される。
【００５５】
シート状吸着材６は、接着材等で接着するものでないため、基礎面部１０から脱着した場合であっても基礎面部１０には何ら損傷（糊残り傷跡等）が生じない。
このため、部屋の模様替え等を行う場合、例えば、間仕切り用としての建築用仕切り材４が容易に取り外せ、元の広い部屋に戻すこと等も簡単に行える。また、建築用仕切り材４に取り付けたシート状吸着材６は、再利用が可能であり利便性にも寄与する。
【００５６】
建築用仕切り材４を、部屋の壁（仕上げ用）材として用いる場合も、設置方法及び設置構造は上記部屋の間仕切り材として使用の場合と同様である。この場合には、建築用仕切り材４を部屋の基礎壁（粗壁）の前面に設置する。
【００５７】
そして、建築用仕切り材４の上部側を天井面部１２（壁際）に取り付けた保持用ランナー材８の溝部に嵌め込み、建築用仕切り材４の下端部の保持部材２を、基礎面部１０（壁際）の目印線の上部に沿って配置する。このとき、建築用仕切り材４の保持部材２に取り付けたシート状吸着材６が押圧され、シート状吸着材６が基礎面部１０に吸着し止着固定される。
また、部屋の模様替えを行う場合であっても、壁材としての建築用仕切り材４を取り外し、別の壁材を設置すること等も容易に行え、加えて建築用仕切り材４の再利用等にも寄与する。
【００５８】
従って、この実施の形態によれば、建築用仕切り材の設置が簡単で施工性に優れ、しかもシート状吸着材は、剥がすことも可能で糊残もなく基礎面部への汚れ傷等もないなど施工面を汚すこともなく、このため基礎面部及び建築用仕切り材等の再利用が可能で利便性にも優れる。
【００５９】
上記実施の形態に係る建築用仕切り材の設置構造として、上記の形態以外にも下記に示す他の実施の形態がある。
これら他の実施の形態についても、各部材の名称（同一符号）及び構成、設置方法及び設置構造の形態、及び作用効果等は、特に説明しない限り上記実施の形態と同様である。
【００６０】
さて、図４に示すように、他の形態として、例えば上記シート状吸着材６を取り付けた上記保持部材２を、建築用仕切り材４に替えて基礎面部１０の側に取り付ける形態がある。なお、ここでは保持部材２として、平坦な基板部及び側板部を有する断面Ｌ状等の材料を用いる。
この場合、保持部材２の基板部の裏面部に沿ってシート状吸着材６の一方の面部を接着しておく。そして、基礎面部１０の設置箇所に沿って保持部材２を配置し、この裏面部に取り付けたシート状吸着材６の他方の面部を基礎面部１０に吸着させる。
【００６１】
次に、建築用仕切り材４の上部側を天井面部１２に取り付けるが、この際、基板部２８が平坦な長尺状の上部保持部材２６を用いることもできる。この上部保持部材２６の形状は、上記保持部材２と同様であり、例えば、基板部２８及び左右の両側板部からなり下側が開口する断面コ字状の材料等が用いられる。
そして、上部保持部材２６の基板部２８の裏面部に沿って上記シート状吸着材６の一方の面部を接着する。次に、天井面部１２の設置箇所に沿って上部保持部材２６を配置し、同時にシート状吸着材６の他方の面部を天井面部１２に吸着させる。また、上部保持部材２６の基板部２８の内側に、上記弾性部材１９を介在させても良い。
【００６２】
こうして、建築用仕切り材４の上部側を天井面部１２に取り付ける際には、建築用仕切り材４の上端部を上部保持部材２６の基板部２８の内側に嵌めて保持させ、建築用仕切り材４の上端部を天井面部１２に取り付ける。
また、建築用仕切り材４の上部側を天井面部１２に取り付ける際、天井面部１２に配置した保持用ランナー材８などに嵌める等して取り付けてもよい。
そして、建築用仕切り材４の下端部を、先に基礎面部１０に配置した保持部材２の基板部２０に嵌めて保持固定させ、建築用仕切り材４を基礎面部１０の上に止着設置する。
【００６３】
他に、建築用仕切り材４の上端部に、シート状吸着材６の一方の面部を接着し、或いは基板部２８の上部にシート状吸着材６の一方の面部を接着した上部保持部材２６を取り付け、この状態で、建築用仕切り材４の上部側を天井面部１２に押しつけ、シート状吸着材６の他方の面部を天井面部１２に吸着させ、建築用仕切り材４の上部側を天井面部１２に取り付けることもできる。
【００６４】
また、上記保持部材２を用いないで、建築用仕切り材４の下端部に直接シート状吸着材６を接着等する形態がある。保持部材２は、建築用仕切り材４を保持し、併せてシート状吸着材６を接着等するものである。このため、建築用仕切り材４の下端部が、保持部材２と同様の平坦さ等を有する場合には、敢えて保持部材２を用いないという形態であり、この場合部品点数等の削減等にも寄与する。
また、この場合の建築用仕切り材４の設置方法及び設置構造は、保持部材２が除かれる点以外は、上記実施の形態と同様である。
【００６５】
例えば、上記建築用仕切り材４の下端部に沿って、上記シート状吸着材６の一方の面部を接着する。そして、建築用仕切り材４の上部側を天井面部１２に取り付け、建築用仕切り材４を基礎面部１０の設置個所に配置し、同時に建築用仕切り材４の下端部に接着したシート状吸着材６の他方の面部を基礎面部１０に吸着させる。これにより、建築用仕切り材４を基礎面部１０の上に止着設置する。
【００６６】
さらに、上記保持部材２を用いない方法として、上記シート状吸着材６を基礎面部１０の側に取り付ける形態がある。この場合、上記基礎面部１０の設置箇所に沿ってシート状吸着材６を配置し、この一方の面部を基礎面部１０に吸着させる。また、このシート状吸着材６の他方の面には予め接着材を塗布しておくのが良い。
次に、上記建築用仕切り材４の上部側を天井面部１２に取り付け、建築用仕切り材４を基礎面部１０の設置個所に配置する。これと同時に、建築用仕切り材４の下端部を先に基礎面部１０に配置したシート状吸着材６の他方の面部に接着させる。こうして、建築用仕切り材４を基礎面部１０の上に止着設置する。
【００６７】
従って、これら他の実施の形態おいても、上記実施の形態と同様、建築用仕切り材の設置が簡単で施工性に優れ、しかもシート状吸着材は、剥がすことも可能で糊残もなく基礎面部への汚れ傷等もないなど施工面を汚すこともなく、このため基礎面部及び建築用仕切り材等の再利用が可能で利便性にも優れる。
【符号の説明】
【００６８】
２  保持部材
４  建築用仕切り材
６  気泡構造を有するシート状吸着材（シート状吸着材）
８  保持用ランナー材
９  ストッパー部材
１０  基礎面部
１２  天井面部
１９  弾性部材
２０，２８  基板部
２６  上部保持部材
【図１】
2020007796.tif 000003
【図２】
2020007796.tif 000004
【図３】
2020007796.tif 000005
【図４】
2020007796.tif 000006
【図５】
2020007796.tif 000007